【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
照明具付き被り物であって、
使用者の頭部に着用される頭部部分と、
該照明具付き被り物から比較的離れた領域を照明するように構成された少なくとも１つの第１の光源と、
該照明具付き被り物に比較的近い領域を照明するように構成された少なくとも１つの第２の光源と
を備える照明具付き被り物。
【請求項２】
前記第１の光源は、比較的遠い距離の照明を供給するように投射される狭い光錐を有する第１のＬＥＤであり、前記第２の光源は、比較的近い距離の照明を供給するように、前記第１のＬＥＤからの狭い光錐より広く投射される光錐を有する第２のＬＥＤである請求項１に記載の照明具付き被り物。
【請求項３】
前記第１の光源及び前記第２の光源が取り付けられたブリムをさらに備え、前記第２の光源が、前記照明具付き被り物に比較的近い照明を供給するために前記第１の光源に対して下方に傾けられる請求項１に記載の照明具付き被り物。
【請求項４】
カメラと照明具付き被り物との組み合わせ体であって、
クラウン及び前縁部部分をもつブリムを有する帽子と、
前記ブリムに取り付けられたレンズを有するカメラと、
前記クラウン及び前記ブリムの一方に取り付けられ且つ前記カメラに電気的に接続された前記カメラの電源と、
前記ブリムに取り付けられ且つ前記カメラの動作用電力を供給するための電気的接続部を有する前記カメラの制御盤と
を備えるカメラと照明具付き被り物との組み合わせ体。
【請求項５】
前記ブリムは、下面を有し、且つ前記下面に取り付けられたファインダを有し、前記ファインダは、前記ブリムの下面に隣接した格納位置から前記ブリムの下面と実質的に直交する動作位置まで枢動し、前記動作位置では、前記ファインダは、前記被り物を着用している人の視線の範囲内における前記カメラのレンズからの画像を供給するように配置及び構成される請求項４に記載のカメラと照明具付き被り物との組み合わせ体。
【請求項６】
前記制御盤は、前記ブリムに搭載されるプリント回路基板を含み、前記電気的接続部は、前記プリント回路基板上のプリント回路である請求項４に記載のカメラと照明具付き被り物との組み合わせ体。
【請求項７】
照明具付き被り物であって、
開口が形成された周縁部を有するブリムと、
前記ブリムに取り付けられる少なくとも１つの光源と、
前記ブリムの周縁部の前記開口に取り付けられる回転スイッチであって、前記ブリムに受け入れられる部分、並びに前記少なくとも１つの光源に選択的に通電及び通電の遮断をするために使用者によって回されるよう露出した部分を有する回転スイッチと
を備える照明具付き被り物。
【請求項８】
包装カバーを有する被り物であって、
上面及び下面、並びに前記上面及び前記下面の周りに延びる周縁部を含むブリムを有する帽子であって、前記ブリムの上面及び前記ブリムの下面が、前記ブリムの上面及び前記ブリムの下面を横切る横方向の湾曲を有する帽子と、
前記ブリムに取外し可能に取り付けられるように構成された前記ブリム用の板紙包装カバーと、
前記ブリムの上面を実質的に覆うサイズであり且つ前記ブリムの上面の湾曲に適合するように構成された前記包装カバーの上側部分と、
前記包装カバーを前記帽子に固定するために前記包装カバー及び前記帽子の一部を通って延在する留め具と
を備える被り物。
【請求項９】
照明具付き被り物であって、
使用者の頭部が収まるように適合する頭部適合部分と、
前記頭部適合部分から前方に延びるブリムと、
第１の光線を生じる第１の光源であって、前方に前記第１の光線を投射する向きで前記ブリムに取り付けられる第１の光源と、
第２の光線を生じる第２の光源であって、前記第１の光線が方向付けられている前方に対して横切り且つ下方に向いた方向で前方に対して傾斜した角度をなすように前記第２の光線を投射する向きにして、前記ブリムに取り付けられる第２の光源と
を備える照明具付き被り物。
【請求項１０】
前記第１の光源は、投射される光錐が狭い第１のＬＥＤであり、前記第２の光源は、投射される光錐が前記第１のＬＥＤから投射される狭い光錐より広い第２のＬＥＤである請求項９に記載の照明具付き被り物。
【請求項１１】
前記ブリムは、外周縁部、主要な上面及び主要な下面を有し、前記第１の光源は、前記外周縁部に隣接して取り付けられ、前記第２の光源は、前記外周縁部から間隔をあけて配置されると共に前記主要な下面に隣接して取り付けられる請求項９に記載の照明具付き被り物。
【請求項１２】
前記ブリムは、前記第１の光源及び前記第２の光源の両方が取り付けられる外周縁部を有する請求項９に記載の照明具付き被り物。
【請求項１３】
前記第１の光源は、着用者から比較的離れた距離に照明を供給する光錐を有し、前記第２の光源は、着用者に近い読書距離に照明を供給する光錐を有する請求項９に記載の照明具付き被り物。
【請求項１４】
前記第１のＬＥＤから投射される狭い光錐は、約１５度〜約２０度の角度であり、前記第２のＬＥＤから投射されるより広くなった光錐は、約２０度〜約４０度の角度である請求項１０に記載の照明具付き被り物。
【請求項１５】
前記ブリムは、前方に延びる前後方向のブリム軸を有し、前記第１の光源は、前記ブリム軸から下方に約５度〜約１５度の角度傾けられ、前記第２の光源は、前記ブリム軸から下方に約２０度〜約３０度の角度傾けられる請求項９に記載の照明具付き被り物。
【請求項１６】
前記ブリムは、前記第１の光源、前記第２の光源、又は、前記第１の光源及び前記第２の光源の両方を選択するためのスイッチを有する請求項９に記載の照明具付き被り物。
【請求項１７】
前記スイッチは、前記ブリムの下にある請求項１６に記載の照明具付き被り物。
【請求項１８】
前記頭部適合部分は、前記光源に電力を供給するように、前記頭部適合部分に取り付けられ且つ前記スイッチに電気的に接続されるバッテリモジュールを有する請求項１６に記載の照明具付き被り物。
【請求項１９】
照明具付き帽子であって、
着用者の頭部が収まるように適合するクラウン部分と、
前記クラウン部分から実質的に前方に延びるブリム部分と、
前記ブリム部分に取り付けられる光源と、
前記ブリム部分に取り付けられた前記光源を作動させる作動装置と、
前記作動装置に隣接して前記ブリム部分に取り付けられて、前記作動装置との意図しない係合及び前記光源の意図しない作動を最小限に抑える遮蔽部分と
を備える照明具付き帽子。
【請求項２０】
前記遮蔽部分は、前記作動装置のまわりに延在するように構成される請求項１９に記載の照明具付き帽子。
【請求項２１】
前記遮蔽部分は、環状の構成を有し、前記作動装置の全周にわたって延在する請求項１９に記載の照明具付き帽子。
【請求項２２】
前記遮蔽部分は、前記作動装置との意図した係合のために前記作動装置へのアクセスを可能にする開口を有する請求項１９に記載の照明具付き帽子。
【請求項２３】
前記作動装置は、押し下げ可能なスイッチを有し、前記遮蔽部分は、前記スイッチのまわりに延在する実質的に環状の壁を有する請求項１９に記載の照明具付き帽子。
【請求項２４】
前記環状の壁は、遠位端を有し、且つ前記ブリム部分の下面から前記環状の壁の前記遠位端に離れるように延び、さらに、前記環状の壁は、前記環状の壁の前記遠位端にスイッチアクセス開口を有し、前記スイッチは、前記光源を作動させるために、前記スイッチアクセス開口を通じて押し下げられることが可能である請求項２３に記載の照明具付き帽子。
【請求項２５】
前記ブリム部分は、実質的に剛性があるブリム部材と、前記ブリム部材を覆う布地とを含み、前記布地は、前記作動装置が前記布地と前記ブリム部材との間に配置された状態で、前記ブリム部材を覆う請求項１９に記載の照明具付き帽子。
【請求項２６】
前記ブリム部分は、前記クラウン部分が前記クラウン部分から前方に延びる前記ブリム部分と共に着用される場合に上方を向く上面と下方を向く下面とを有し、前記作動装置は、前記ブリム部分の下面から下方に突出する押し下げ可能なスイッチであり、前記遮蔽部分は、前記押し下げ可能なスイッチを少なくとも部分的に囲むように構成された壁を含む請求項１９に記載の照明具付き帽子。
【請求項２７】
前記遮蔽部分の壁は、前記押し下げ可能なスイッチを完全に取り囲む環状の構成を有する請求項２６に記載の照明具付き帽子。